(57)【要約】【課題】意匠性を向上させた照明器具及びそれを備えた照明装置を提供すること。【解決手段】長方形の板状に形成された底部と、前記底部の短手方向の両側辺に設けられた側面部とを有し、光源ユニットが着脱可能に取り付けられる照明器具を備える照明装置であって、前記照明器具は、長手方向の両端部に形成された端部開口部に設けられ、電線を通すための端板電線穴が形成された端板部と、前記端板電線穴を塞ぐように前記端板部に取り付けられる本体蓋部と、を備えたものである。【選択図】図２
2020136230.tif 000002
【特許請求の範囲】
【請求項１】
長方形の板状に形成された底部と、前記底部の短手方向の両側辺に設けられた側面部と、を有し、光源ユニットが着脱可能に取り付けられる照明器具であって、
長手方向の両端部に形成された端部開口部に設けられ、電線を通すための端板電線穴が形成された端板部と、
前記端板電線穴を塞ぐように前記端板部に取り付けられる本体蓋部と、を備えた
照明器具。
【請求項２】
前記端板電線穴は、前記端板部において、前記底部と反対側の端部を開口させることにより形成されている
請求項１に記載の照明器具。
【請求項３】
前記本体蓋部は、
板状の蓋本体部と、前記蓋本体部の前記端板部と対向する側の面に設けられ、前記蓋本体部との間にスリットが形成された蓋保持部と、を有し、
前記端板部の前記端板電線穴の周囲に設けられた溝部に前記本体蓋部の前記スリットが挿し込まれることにより、前記端板部に取り付けられる
請求項１又は２に記載の照明器具。
【請求項４】
前記側面部と前記端板部とによって本体開口部が形成されており、
前記側面部には、前記本体開口部側の端部に凸部が設けられており、
前記本体蓋部は、
前記蓋保持部から突出して設けられ、前記凸部に引っ掛かる一対の蓋爪部を有している
請求項３に記載の照明器具。
【請求項５】
請求項１〜４のいずれか一項に記載の照明器具と、
前記照明器具に着脱可能に取り付けられる前記光源ユニットと、を備えた
照明装置。
【発明の詳細な説明】
【技術分野】
【０００１】
本発明は、併設が可能な照明器具及びそれを備えた照明装置に関するものである。
【背景技術】
【０００２】
従来、光源ユニットが照明器具に着脱可能に取り付けられる照明装置がある（例えば、特許文献１参照）。特許文献１に記載の照明装置は併設が可能であり、併設された複数の照明装置は、それぞれ隣接する照明装置から電線が引かれるようになっている。そのため、照明器具の長手方向の両端部に設けられた端板には、隣接する照明装置から引かれた電線を通すための電線穴が設けられている。
【先行技術文献】
【特許文献】
【０００３】
【特許文献１】特開２０１５−１６２３６５号公報
【発明の概要】
【発明が解決しようとする課題】
【０００４】
しかしながら、特許文献１に記載されているような従来の照明装置は、天井等の被取付部に直接取り付けて設置される場合、あるいは、被取付部から吊り下げて設置される場合等には、照明器具の端板に設けられた電線穴が意匠面に現れてしまい、意匠性がよくないという課題があった。
【０００５】
本発明は、以上のような課題を解決するためになされたもので、意匠性を向上させた照明器具及びそれを備えた照明装置を提供することを目的としている。
【課題を解決するための手段】
【０００６】
本発明に係る照明器具は、長方形の板状に形成された底部と、前記底部の短手方向の両側辺に設けられた側面部と、を有し、光源ユニットが着脱可能に取り付けられる照明器具であって、長手方向の両端部に形成された端部開口部に設けられ、電線を通すための端板電線穴が形成された端板部と、前記端板電線穴を塞ぐように前記端板部に取り付けられる本体蓋部と、を備えたものである。
【０００７】
また、本発明に係る照明装置は、上記照明器具と、上記照明器具に着脱可能に取り付けられる光源ユニットと、を備えたものである。
【発明の効果】
【０００８】
本発明に係る照明器具及びそれを備えた照明装置によれば、照明器具の端板部に形成された端板電線穴を塞ぐように端板部に本体蓋部が取り付けられている。そのため、本体蓋部によって、端板電線穴及び端板電線穴のための加工を隠すことができ、それらが意匠面に現れないようにすることができるため、意匠性を向上させることができる。
【図面の簡単な説明】
【０００９】
【図１】本発明の実施の形態に係る照明装置の斜視図である。
【図２】本発明の実施の形態に係る照明装置の分解斜視図である。
【図３】本発明の実施の形態に係る照明装置の本体蓋部の斜視図である。
【図４】本発明の実施の形態に係る照明装置において本体蓋部を端板部へ取り付ける際の第一の斜視参考図である。
【図５】本発明の実施の形態に係る照明装置において本体蓋部を端板部へ取り付ける際の第二の斜視参考図である。
【図６】本発明の実施の形態に係る照明装置において本体蓋部を端板部へ取り付ける際の第三の斜視参考図である。
【図７】本発明の実施の形態に係る照明装置において本体蓋部を端板部へ取り付ける際の第一の縦断面視参考図である。
【図８】本発明の実施の形態に係る照明装置において本体蓋部を端板部へ取り付ける際の第二の縦断面視参考図である。
【図９】本発明の実施の形態に係る照明装置において本体蓋部を端板部へ取り付ける際の第三の縦断面視参考図である。
【発明を実施するための形態】
【００１０】
以下、本発明の実施の形態に係る照明器具１００及び照明装置１について、図面を参照して説明する。各図において同じ又は対応する構成要素には、同じ符号を付し、説明の繰り返しを省略する場合がある。ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１１】
実施の形態．
図１は、本発明の実施の形態に係る照明装置１の斜視図である。図２は、本発明の実施の形態に係る照明装置１の分解斜視図である。
以下、図１及び図２を参照して、本実施の形態に係る照明装置１の構成を説明する。以下の説明において、照明装置１の長手方向に沿った方向を長手方向（Ｘ軸方向）とする。また、長手方向（Ｘ軸方向）に直交し、長手方向（Ｘ軸方向）に対する短手方向を短手方向（Ｙ軸方向）とする。そして、長手方向（Ｘ軸方向）及び短手方向（Ｙ軸方向）のいずれとも直交する方向を上下方向（Ｚ軸方向）とする。さらに、上下方向（Ｚ軸方向）において、照明装置１が取り付けられる天井あるいは壁等の被取付部２側への向きを上向きＺ１とする。そして、上向きＺ１と反対側への向きであり照明装置１から光が照射される照射空間側への向きを下向きＺ２とする。ここで、上向きＺ１は、光源ユニット２００が照明器具１００に取り付けられる向きであり、下向きＺ２は、光源ユニット２００が照明器具１００から取り外される向きである。
【００１２】
本実施の形態に係る照明装置１は、天井あるいは壁等の被取付部２に取り付けられる照明器具１００と、この照明器具１００に取り付けられる光源ユニット２００と、を備えている。図１では、照明装置１が、被取付部２に設けられた吊り具３に取り付けられた状態を示しており、照明器具１００が吊り具３によって被取付部２に固定された状態で、光源ユニット２００が後述するバネ２５０によりＺ２方向からＺ１方向に向かって取り付けられている。本実施の形態では、照明装置１は、いわゆるトラフタイプの照明器具１００を例として示す。なお、本実施の形態に係る照明装置１は、いわゆるトラフタイプの照明器具１００を例示して説明するが、照明装置１はトラフタイプの照明器具１００に限定されるものではない。照明装置１は、光源ユニット２００が装着される照明器具１００として、例えば、いわゆる笠付タイプ、片側反射笠付タイプ、Ｖ形タイプ等、他の形状のものを採用することができる。照明器具１００は、器具本体１１０を備えており、光源ユニット２００の一部がこの器具本体１１０に収容されるように取り付けられている。
【００１３】
［照明器具１００］
照明器具１００は、光源を有する光源ユニット２００が取り付けられることによって照明装置１を構成する。照明器具１００は、器具本体１１０と、電源装置１２０と、電源端子台１３０と、端板部１５０と、本体蓋部６００とを有している。照明器具１００は、器具本体１１０の長手方向（Ｘ軸方向）端部に端板部１５０が設けられているとともに、電源装置１２０及び電源端子台１３０が器具本体１１０の内側に設けられている。なお、照明器具１００は、調光端子台（図示は省略）を器具本体１１０の内部に収容してもよい。
【００１４】
（器具本体１１０）
照明器具１００を構成する器具本体１１０は、装着された光源ユニット２００の一部を内部に収容する。器具本体１１０は、照明器具１００の外郭を構成し、例えば、金属製の板材を折り曲げて形成される。ただし、器具本体１１０は、金属製の板材の折り曲げから形成されるものに限定されるものではなく、例えば、樹脂、セラミック等、他の材料を用いて形成されてもよく、また、押出成型、積層造形等、他の方法で形成されてもよい。器具本体１１０は、箱状に形成されており、光源ユニット２００の一部が収容される内部空間を形成し、また、長尺状に形成されている。器具本体１１０は、長方形の板状に形成された底部１１１と、底部１１１の短手方向（Ｙ軸方向）の両側辺からそれぞれ立ち上がり突出して設けられている側面部１１２とを有している。器具本体１１０は、底部１１１と、互いに対向する２つの側面部１１２とによって凹形状に形成される。このため器具本体１１０は、底部１１１と、互いに対向する２つの側面部１１２とによって囲まれる内部空間を形成している。器具本体１１０は、互いに対向する２つの側面部１１２と、互いに対向する２つの端板部１５０とによって、本体開口部１１３を形成している。この本体開口部１１３は、光源ユニット２００の着脱を行う際の装着口となり、器具本体１１０の長手方向（Ｘ軸方向）において、両方の端板部１５０の間に形成されている。
【００１５】
底部１１１には、電源装置１２０及び電源端子台１３０が取り付けられる。なお、底部１１１には、調光端子台が取り付けられてもよい。また、底部１１１には、電源穴（図示は省略）と、取付穴（図示は省略）とが形成されている。電源穴は、商用電力の供給を受けるための電源電線４を引き込むために底部１１１に形成された貫通孔であり、この電源電線４は、照明器具１００の外部から電源穴を介して電源端子台１３０に接続される。取付穴は、器具本体１１０をビスあるいはボルト等の固定具で天井あるいは壁等の被取付部２に固定するために、底部１１１に形成された貫通孔である。電源穴及び取付穴は、照明器具１００の長手方向（Ｘ軸方向）において、電源装置１２０及び電源端子台１３０の設置位置よりも外側に形成されている。なお、電源穴は、器具本体１１０に調光端子台が取り付けられる場合には、調光端子台の設置位置よりも外側に形成される。そして、器具本体１１０に調光端子台が取り付けられる場合には、底部１１１には、調光端子台に接続される信号線を引き込むための信号線穴が形成されてもよい。
【００１６】
側面部１１２は、照明器具１００の上下方向（Ｚ軸方向）において、一方の端部は底部１１１と連続して形成されており、他方の端部は器具本体１１０の本体開口部１１３を形成する。２つの側面部１１２の本体開口部１１３側の端部には、光源ユニット２００を保持する凸部１１４がそれぞれ設けられている。凸部１１４は、対に設けられた側面部１１２の端部において、互いに向かい合うように突出して設けられている。凸部１１４は、側面部１１２の底部１１１と反対側の先端部が、器具本体１１０の内部空間側に向かって円弧を形成するように折り曲げられ、かつ、凸部１１４の縁部が、側面部１１２を向くように折り曲げられている。
【００１７】
（電源装置１２０）
電源装置１２０は、商用電源から供給される交流電力を直流電力に変換し、光源ユニット２００を点灯させるものである。電源装置１２０は、略直方体形状をしたケース１２０ａと、このケース１２０ａの内部に配置された点灯回路（図示は省略）とを有している。また、電源装置１２０の出力側には、光源ユニット２００の光源側電線（図示は省略）とコネクタ等によって着脱自在に接続する電源側電線（図示は省略）が設けられている。
【００１８】
（電源端子台１３０）
電源端子台１３０は、商用電源から供給される電力を、照明器具１００を構成する各部品へ供給するものであり、電源端子台１３０には外部から引き込まれた電源電線４が接続される。電源端子台１３０は、器具本体１１０の長手方向（Ｘ軸方向）において、電源装置１２０を挟むように２つ配置されており、また、電源装置１２０と電源穴との間にそれぞれ配置されている。また、電源端子台１３０は、電源穴と隣接するように配置されている。
【００１９】
２つの電源端子台１３０は、互いに接続される端子台電線（図示せず）を有しているとともに、一方の電源端子台１３０は電源装置１２０の入力部と中継電線（図示は省略）を介して接続される。照明器具１００は、このように２つの電源端子台１３０を設けることによって、どちらの電源穴から電源電線４が引き込まれても商用電源からの電力供給を受けることができる。なお、端子台電線は、照明器具１００の器具内配線用の電線であり、外部から引き込まれた電源電線４よりも細く形成されている。このように、照明器具１００は、電源端子台１３０が内部に配設されることで、器具本体１１０の内側に外部から引き込まれる電源電線４を配置するスペースを設ける必要がなく、器具本体１１０の内部空間を有効活用することができる。また、照明器具１００は、電源端子台１３０が内部に配設されることで、器具本体１１０の内側に外部から引き込まれる電源電線４を配置するスペースを設ける必要がなく、器具本体１１０の大型化を抑制することができる。
【００２０】
なお、上記のように、照明器具１００は、器具本体１１０の内部に調光端子台を有してもよい。調光端子台は、外部から引き込まれる信号電線が挿し込まれるものであり、信号電線を介して送付される制御信号を電源装置１２０に伝えるものである。この信号電線は、電源穴から引き込んでもよく、底部１１１に信号線用の穴（図示は省略）を形成し、この信号線用の穴から引き込んでもよい。
【００２１】
（端板部１５０）
端板部１５０は、器具本体１１０の長手方向（Ｘ軸方向）の端部に形成された端部開口部１１０ｂに配置されており、器具本体１１０の長手方向（Ｘ軸方向）の端部の端部開口部１１０ｂを塞ぐ端板本体部１５１を有している。端板本体部１５１は、矩形の板状に形成されており、端板本体部１５１の板面は、底部１１１及び側面部１１２の板面に対して略直角に配置されている。端板本体部１５１は、例えばノックアウト加工が施されており、矩形と円形とを組み合わせた略馬蹄形状をした端板蓋部（図示は省略）が取り外されることで端板本体部１５１に端板電線穴１５１ｂが形成されている。ここで、本実施の形態に係る照明器具１００は併設が可能であり、複数の照明器具１００を併設して連結する際に、それぞれ隣接する照明器具１００から電線等が引かれる。そのため、端板本体部１５１には、隣接する照明器具１００から引かれた電線等を通すための穴である端板電線穴１５１ｂが形成されている。つまり、端板電線穴１５１ｂは、複数の照明器具１００を併設して連結する際に、照明器具１００に使用される電線等の配線に利用することができる。端板蓋部は、端板本体部１５１を構成する壁部にノックアウト加工が施された部分であり、例えば、たたくことにより、あるいは、切り取ることにより、現場で簡単に穴をあけることができる部分である。端板本体部１５１は、端板蓋部が取り外されることで、Ｕ字状の縁部によって形成される端板電線穴１５１ｂが形成される。端板電線穴１５１ｂは、光源ユニット２００が照明器具１００に取り付けられた場合に光源ユニット２００と対向する側が開口するように形成されている。つまり、端板電線穴１５１ｂは、端板部１５０において、底部１１１と反対側の端部を開口させることにより形成されている。端板本体部１５１には、端板電線穴１５１ｂを塞ぐように、後述する本体蓋部６００が取り付けられる。端板本体部１５１から取り外された端板蓋部は、取り外される前には端板本体部１５１の壁の一部を構成している。端板本体部１５１において、端板本体部１５１から取り外された際に端板蓋部の縁部を形成する部分に形成された溝部１５１ｃは、端板本体部１５１の壁が凹状に形成された部分であり、端板本体部１５１の壁の厚さが薄い部分となる。また、この溝部１５１ｃは、端板電線穴１５１ｂの周囲に設けられている。なお、溝部１５１ｃは、凹状に形成されるものに限定されるものではなく、例えば、ミシン目のように複数の貫通孔が連続して形成されてもよい。
【００２２】
［光源ユニット２００］
光源ユニット２００は、照明器具１００に取り付けられることによって照明装置１を構成する。光源ユニット２００は、長尺状に形成されており、照明器具１００に装着されて使用される。光源ユニット２００は、照明器具１００の器具本体１１０に一部が収容され、器具本体１１０に着脱自在に取り付けられる。光源ユニット２００は、発光モジュール（図示せず）と、フレーム２２０と、カバー２３０と、エンドキャップ２４０と、バネ２５０とを備えている。
【００２３】
（発光モジュール）
発光モジュールは、光源となり長尺状に形成されている。発光モジュールは、フレーム２２０よりも長尺状に形成されている。発光モジュールは、複数の発光素子（図示は省略）と、この複数の発光素子が直線状に実装される矩形状をした基板（図示は省略）と、基板の長手方向（Ｘ軸方向）の一端側に設けられた光源側電線（図示は省略）とを有している。発光モジュールの基板は、長手方向（Ｘ軸方向）の長さがフレーム２２０よりも長く、カバー２３０と略同等の長さに形成されている。したがって、発光モジュールがフレーム２２０上に取り付けられると、基板は、両端部がフレーム２２０から突出した状態となる。
【００２４】
発光素子は、光源ユニット２００の光源であり、電力が供給されると発光する。発光モジュールは、発光素子として、例えば、発光ダイオード（Ｌｉｇｈｔ  Ｅｍｉｔｔｉｎｇ  Ｄｉｏｄｅ；以下、ＬＥＤと称す）素子を用いる。発光素子は、基板に直線状に実装される構成に限定されるものではなく、例えば、基板の実装面に、基板の長手方向（Ｘ軸方向）に沿って、列状、千鳥状等に実装されてもよい。発光素子は、例えば、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。なお、発光素子は、発光ダイオード素子に限定されるものではない。発光素子は、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬ等を用いてもよい。基板には、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）又は金属ベース基板等が用いられる。
【００２５】
（フレーム２２０）
フレーム２２０は、発光素子を有する発光モジュールが取り付けられる。フレーム２２０は、長尺に形成されており、断面が略Ｈ字状に形成されている。フレーム２２０は、例えば、アルミ材を押出成型して形成してもよく、板金を折り曲げて一体的に形成してもよい。
【００２６】
（カバー２３０）
カバー２３０は、発光モジュールを覆うとともに、フレーム２２０に取り付けられた状態において長手方向（Ｘ軸方向）における端部に開口部（図示は省略）が形成される。カバー２３０は、発光素子からの光を拡散して透過させるものであり、透過性の材料から形成されている。カバー２３０は、例えば、ポリカーボネートなどの樹脂材料を押し出し成型して形成している。また、カバー２３０は、アクリル、あるいは、ガラス等の他の材料により形成されてもよい。
【００２７】
カバー２３０は、発光モジュールを覆うように対向する主カバー部２３１と、主カバー部２３１の短手方向（Ｙ軸方向）の両端側よりフレーム２２０側へ突出するように設けられ、カバー２３０の側壁を構成するカバー側面部２３２と、を有する。なお、対になるカバー側面部２３２の外側の距離は、器具本体１１０の対になる側面部１１２の外寸と略同一であり、光源ユニット２００が照明器具１００に取り付けられた状態でカバー側面部２３２と側面部１１２とは連続的な意匠を形成することができる。主カバー部２３１は、カバー２３０の長手方向（Ｘ軸方向）の垂直断面において、直線状に形成されている。なお、主カバー部２３１の形状は当該形状に限定されるものではなく、例えば、カバー２３０の長手方向（Ｘ軸方向）の垂直断面において、円弧状に形成されてもよく、他の多角形状に形成されてもよい。
【００２８】
（エンドキャップ２４０）
エンドキャップ２４０は、フレーム２２０に固定されてカバー２３０により形成される開口部を塞ぐように配置される。このエンドキャップ２４０は、略矩形状の板材であり、光源ユニット２００において、カバー２３０の主カバー部２３１及びカバー側面部２３２に対して、略直角に配置される。フレーム２２０の両端に配置された対向する２つのエンドキャップ２４０の間の距離は、カバー２３０の長手方向（Ｘ軸方向）の長さよりも長い。
【００２９】
（バネ２５０）
バネ２５０は、光源ユニット２００の長手方向（Ｘ軸方向）における両方の端部のそれぞれに設けられており、器具本体１１０の凸部１１４に引っ掛かることで光源ユニット２００を照明器具１００に固定するものである。
【００３０】
（本体蓋部６００）
図３は、本発明の実施の形態に係る照明装置１の本体蓋部６００の斜視図である。
次に、図３を用いて本体蓋部６００について説明する。本体蓋部６００は、蓋本体部６１０と、蓋保持部６２０と、蓋爪部６３０とを有している。
【００３１】
（蓋本体部６１０）
蓋本体部６１０は、略矩形状の板材であり、蓋本体部６１０の板面は、器具本体１１０の底部１１１及び側面部１１２の板面に対して略直角に配置されている。また、蓋本体部６１０の板面は、端板部１５０の端板本体部１５１の板面に対して略平行に配置されている。この蓋本体部６１０は、端板本体部１５１と略同等の大きさに形成されており、端板本体部１５１に取り付けられた際に、端板電線穴１５１ｂの全体を塞ぐようになっている。
【００３２】
（蓋保持部６２０）
蓋保持部６２０は、蓋本体部６１０の、端板本体部１５１と対向する側の面に設けられており、その面からＵ字状に突出して設けられている。また、蓋保持部６２０は、蓋本体部６１０とは反対側の端部（以下、反対側端部と称する）からさらに外周側に突出することによって断面が略Ｌ字状に形成されている。つまり、蓋保持部６２０は、断面略Ｌ字状の爪がＵ字形状に設けられたものである。また、蓋保持部６２０と蓋本体部６１０の板面との間には、端板本体部１５１の溝部１５１ｃが挿し込まれるＵ字状のスリット６２１が形成されている。なお、このスリット６２１は、端板本体部１５１の溝部１５１ｃが挿し込まれることにより、端板本体部１５１のＸ方向及びＹ方向への移動を規制するようなものであればＵ字状に限定されず、例えば、Ｊ字状などでもよい。また、蓋保持部６２０についても、スリット６２１と同様に、Ｕ字状に限定されない。
【００３３】
（蓋爪部６３０）
蓋爪部６３０は、蓋保持部６２０の反対側端部の一部から外周側かつ上方に突出して略Ｌ字状に設けられている。また、蓋爪部６３０は、蓋保持部６２０の正面視した左右中央に対して対称となるように設けられている。この対に設けられた蓋爪部６３０は、本体蓋部６００を器具本体１１０に取り付けた際に、その上端部が凸部１１４とそれぞれ当接して凸部１１４に引っ掛かることにより、本体蓋部６００が落下するのを抑制するものである。なお、蓋爪部６３０は、その上端部が凸部１１４とそれぞれ当接して凸部１１４に引っ掛かるようなものであれば略Ｌ字状に限定されない。
【００３４】
図４は、本発明の実施の形態に係る照明装置１において本体蓋部６００を端板部１５０へ取り付ける際の第一の斜視参考図である。図５は、本発明の実施の形態に係る照明装置１において本体蓋部６００を端板部１５０へ取り付ける際の第二の斜視参考図である。図６は、本発明の実施の形態に係る照明装置１において本体蓋部６００を端板部１５０へ取り付ける際の第三の斜視参考図である。図７は、本発明の実施の形態に係る照明装置１において本体蓋部６００を端板部１５０へ取り付ける際の第一の縦断面視参考図である。図８は、本発明の実施の形態に係る照明装置１において本体蓋部６００を端板部１５０へ取り付ける際の第二の縦断面視参考図である。図９は、本発明の実施の形態に係る照明装置１において本体蓋部６００を端板部１５０へ取り付ける際の第三の縦断面視参考図である。なお、図７〜図９は、照明器具１００の縦断面を側面視した図である。また、図４及び図７がそれぞれ同じ状態を示し、図５及び図８がそれぞれ同じ状態を示し、図６及び図９がそれぞれ同じ状態を示している。
【００３５】
次に、図４〜図９を用いて本体蓋部６００を端板部１５０へ取り付ける方法について説明する。最初に、図４及び図７に示すように、蓋本体部６１０の板面が端板部１５０の端板本体部１５１の板面に対して平行となるように、かつ、蓋保持部６２０の曲線部と端板本体部１５１の端板電線穴１５１ｂの開口とが対向するように、本体蓋部６００を配置する。
【００３６】
次に、図５及び図８に示すように、図４及び図７に示す状態から、端板本体部１５１の溝部１５１ｃが蓋保持部６２０のスリット６２１に挿し込まれるように、Ｚ２方向からＺ１方向に向かって本体蓋部６００を移動させる。
【００３７】
最後に、図６及び図９に示すように、対に設けられた蓋爪部６３０の上端部が器具本体１１０の凸部１１４とそれぞれ当接して凸部１１４に引っ掛かるまで、Ｚ２方向からＺ１方向に向かって本体蓋部６００を移動させる。そうすることで、本体蓋部６００の蓋保持部６２０は端板部１５０の溝部１５１ｃと嵌合し、本体蓋部６００の蓋爪部６３０は器具本体１１０の凸部１１４に引っ掛かる。このとき、本体蓋部６００によって、端板本体部１５１の端板電線穴１５１ｂが塞がれる。また、本体蓋部６００の蓋爪部６３０の上端部が器具本体１１０の凸部１１４と当接して凸部１１４に引っ掛かっているため、本体蓋部６００がＺ２方向へ落下するのが抑制される。
【００３８】
以上、本実施の形態に係る照明器具１００は、長方形の板状に形成された底部１１１と、底部１１１の短手方向の両側辺に設けられた側面部１１２と、を有し、光源ユニット２００が着脱可能に取り付けられる照明器具１００である。そして、照明器具１００は、長手方向の両端部に形成された端部開口部１１０ｂに設けられ、電線を通すための端板電線穴１５１ｂが形成された端板部１５０と、端板電線穴１５１ｂを塞ぐように端板部１５０に取り付けられる本体蓋部６００と、を備えたものである。
【００３９】
本実施の形態に係る照明器具１００によれば、照明器具１００の端板部１５０に形成された端板電線穴１５１ｂを塞ぐように端板部１５０に本体蓋部６００が取り付けられている。そのため、本体蓋部６００によって、端板電線穴１５１ｂ及び端板電線穴１５１ｂのための加工を隠すことができ、それらが意匠面に現れないようにすることができるため、意匠性を向上させることができる。
【００４０】
また、本実施の形態に係る照明器具１００において、本体蓋部６００は、板状の蓋本体部６１０と、蓋本体部６１０の端板部１５０と対向する側の面に設けられ、蓋本体部６１０との間にスリット６２１が形成された蓋保持部６２０と、を有している。そして、本体蓋部６００は、端板部１５０の端板電線穴１５１ｂの周囲に設けられた溝部１５１ｃに本体蓋部６００のスリット６２１が挿し込まれることにより、端板部１５０に取り付けられる。
【００４１】
本実施の形態に係る照明器具１００によれば、端板部１５０の端板電線穴１５１ｂの周囲に設けられた溝部１５１ｃに、本体蓋部６００のスリット６２１を挿し込むことにより、体蓋部６００を端板部１５０に取り付けことができる。そのため、本体蓋部６００を端板部１５０に容易に取り付けることができるとともに、Ｘ方向及びＹ方向への移動を規制することができる。
【００４２】
また、本実施の形態に係る照明器具１００には、側面部１１２と端板部１５０とによって本体開口部１１３が形成されており、照明器具１００の側面部１１２には、本体開口部１１３側の端部に凸部１１４が設けられている。そして、本体蓋部６００は、蓋保持部６２０から突出して設けられ、凸部１１４に引っ掛かる一対の蓋爪部６３０を有している。
【００４３】
本実施の形態に係る照明器具１００によれば、本体蓋部６００は、器具本体１１０の凸部１１４に引っ掛かる一対の蓋爪部６３０を有している。そのため、本体蓋部６００の蓋爪部６３０の上端部が器具本体１１０の凸部１１４と当接して凸部１１４に引っ掛かることにより、本体蓋部６００がＺ２方向へ落下するのを抑制することができる。
【００４４】
また、本実施の形態に係る照明装置１は、上記照明器具１００と、上記照明器具１００に着脱可能に取り付けられる光源ユニット２００と、を備えたものである。
【００４５】
本実施の形態に係る照明装置１によれば、照明器具１００と同様の効果を得ることができる。
【符号の説明】
【００４６】
１  照明装置、２  被取付部、３  吊り具、４  電源電線、１００  照明器具、１１０  器具本体、１１０ｂ  端部開口部、１１１  底部、１１２  側面部、１１３  本体開口部、１１４  凸部、１２０  電源装置、１２０ａ  ケース、１３０  電源端子台、１５０  端板部、１５１  端板本体部、１５１ｂ  端板電線穴、１５１ｃ  溝部、２００  光源ユニット、２２０  フレーム、２３０  カバー、２３１  主カバー部、２３２  カバー側面部、２４０  エンドキャップ、２５０  バネ、６００  本体蓋部、６１０  蓋本体部、６２０  蓋保持部、６２１  スリット、６３０  蓋爪部。
【図１】
2020136230.tif 000003
【図２】
2020136230.tif 000004
【図３】
2020136230.tif 000005
【図４】
2020136230.tif 000006
【図５】
2020136230.tif 000007
【図６】
2020136230.tif 000008
【図７】
2020136230.tif 000009
【図８】
2020136230.tif 000010
【図９】
2020136230.tif 000011